(57)【要約】【課題】人間の頸部から頭部に掛けての形状、サイズに合わせて組み合わせて使用可能であり、組み合わせによって体位（頸部から頭部に掛けての部分の高さ、角度等）を変えることができる連結型枕の分割枕セットを提案すること。【解決手段】医療用連結型枕１を構成するために用いる分割枕セット３０には、複数種類の第１分割枕３１と複数種類の第２分割枕３２が備わっている。連結型枕１には、凸状の頸部支持面２、この後端に滑らかに連続している湾曲状の後頭部支持面４およびこの後端に滑らかに連続している頭頂部当接面６が形成されている。選択した第１分割枕３１に、選択した第２分割枕３２を連結して一体化すると、滑らかに連続する頸部支持面２、後頭部支持面４、頭頂部当接面６を備えた連結型枕１が構成される。【選択図】図２
2012143412.tif 000002
【特許請求の範囲】
【請求項１】
異なる形状、サイズの連結型枕を構成するために用いる分割枕セットであって、
少なくとも、第１分割枕および第２分割枕を有し、
少なくとも第２分割枕には上面の形状、サイズが相互に相違する複数個の第２分割枕が含まれており、
連結型枕には、凸状の頸部支持面、この頸部支持面の後端に滑らかに連続している湾曲状の後頭部支持面、および、この後頭部支持面の後端に滑らかに連続している頭頂部当接面が形成されており、
第１分割枕に、複数個の第２分割枕から選択した一つの第２分割枕を連結して一体化すると、滑らかに連続する頸部支持面、後頭部支持面および頭頂部当接面を備えた連結枕が構成されることを特徴とする連結型枕の分割枕セット。
【請求項２】
請求項１において、
第１分割枕と第２分割枕は着脱可能な状態で連結されていることを特徴とする連結型枕。
【請求項３】
請求項１または２において、
頸部支持面は、上面前後方向においてはその途中位置において頂部が形成される凸曲面によって規定され、上面幅方向においては左右対称な凹曲面によって規定される三次元曲面であり、
後頭部支持面は、上面前後方向においてはその途中位置において最深部が形成される凹曲面によって規定され、上面幅方向においてはその中央において最深部が形成される左右対称な凹曲面によって規定される三次元曲面であり、
頭頂部当接面は、前後方向においては凹曲線によって規定され、上面幅方向においては左右対称な凹曲面によって規定される三次元曲面であることを特徴とする連結型枕の分割枕セット。
【請求項４】
請求項３において、
連結型枕を後頭部支持面の最深部から頭頂部当接面の後端縁部までの間の位置において分割することによって得られた前側の分割枕が前記第１分割枕であり、後側の分割枕が第２分割枕であることを特徴とする連結型枕。
【請求項５】
請求項１ないし４のうちのいずれかの項において、
連結型枕の上面における頭頂部当接面の後端縁部には、上面幅方向においてその中央が後端縁部最深部となる左右対称な凹曲面状に切り取られた切り取り部が形成されていることを特徴とする連結型枕の分割枕セット。
【請求項６】
請求項１ないし５のうちのいずれかの項において、
連結型枕は、放射線による治療あるいは検査時における患者の頸部から頭部に掛けての部分を固定するための医療用枕であることを特徴とする連結型枕の分割枕セット。
【発明の詳細な説明】
【技術分野】
【０００１】
本発明は複数の分割枕を連結して一体化することによって形状、サイズの異なる連結型枕を構成可能な分割枕セットに関する。特に、本発明は、放射線治療、ＭＲ検査などにおいて患者の頭部から頸部に掛けての部分を固定するために用いるのに適した医療用連結型枕の分割枕セットに関する。
【背景技術】
【０００２】
例えば、放射線治療においては治療台に乗せた患者の位置を固定して患部に正確に放射線を照射するために、治療台上において患者の各部を定まった位置に固定する必要がある。従来においては頭部頸部固定用の医療用枕が使用されている。このような枕は、特許文献１の図１、図３にはおいて固定用補助体として開示されている。
【０００３】
一方、一般的に使用される枕は、使用者の好み、体型・頭部形状の相違などに対応できるように、各種のものが製造販売されている。特許文献２には、使用者が各種の形態で使用できるように、頭部を乗せる二連型枕と頸部を乗せる大径筒枕がベルクロファスナーによって着脱可能となっている構造の組み合わせ安眠枕が提案されている。
【先行技術文献】
【特許文献】
【０００４】
【特許文献１】実用新案登録第３１３８５４０号公報
【特許文献２】特開平１０−５２３４７号公報
【発明の概要】
【発明が解決しようとする課題】
【０００５】
ここで、特許文献１に開示されているような放射線治療、検査用の枕は、患者の頸部から頭部に掛けての部分を治療台あるいは検査台上において定まった位置に固定できるように、頸部に対応した輪郭形状の頸部支持面および後頭部に対応した輪郭形状の頭部支持面を備えている。患者の頭部形状、サイズには個人差があるので、頸部から頭部に掛けての部分を固定するためには、患者の頭部形状、サイズに合った頸部支持面および頭部支持面を備えた枕を使用する必要がある。しかしながら、従来においては、患者の頭部形状、サイズの個人差に柔軟に対応可能な枕は提案されていない。
【０００６】
また、一般的な枕においては、特許文献２に開示されているように、複数の枕を連結して各種態様で用いることは提案されているものの、使用者の頭部形状、サイズに合った頸部支持面および後頭部支持面を備えた枕において、頭部形状、サイズの個人差に柔軟に対応可能な枕については提案されていない。
【０００７】
本発明の課題は、この点に鑑みて、人間の頸部から頭部に掛けての形状、サイズに合わせて組み合わせて使用可能であり、組み合わせによって体位（頸部から頭部に掛けての部分の高さ、角度等）を変えることができる連結型枕の分割枕セットを提案することにある。
【課題を解決するための手段】
【０００８】
上記の課題を解決するために、本発明は、異なる形状、サイズの連結型枕を構成するために用いる分割枕セットであって、
少なくとも、第１分割枕および第２分割枕を有し、
少なくとも第２分割枕には上面の形状、サイズが相互に相違する複数個の第２分割枕が含まれており、
連結型枕には、凸状の頸部支持面、この頸部支持面の後端に滑らかに連続している湾曲状の後頭部支持面、および、この後頭部支持面の後端に滑らかに連続している頭頂部当接面が形成されており、
第１分割枕に、複数個の第２分割枕から選択した一つの第２分割枕を連結して一体化すると、滑らかに連続する頸部支持面、後頭部支持面および頭頂部当接面を備えた連結枕が構成されることを特徴としている。
【０００９】
第１、第２分割枕を連結して一体化する方法としては接着剤を用いて接着固定することが考えられるが、これらを着脱可能な構造で連結できるようにすれば、連結して一体化した第１、第２分割枕を分離して繰り返し使用できるので便利である。
【００１０】
連結型枕における頸部支持面は、上面前後方向においてはその途中位置において頂部が形成される凸曲面によって規定され、上面幅方向においては左右対称な凹曲面によって規定される三次元曲面であることが望ましい。後頭部支持面は、上面前後方向においてはその途中位置において最深部が形成される凹曲面によって規定され、上面幅方向においてはその中央において最深部が形成される左右対称な凹曲面によって規定される三次元曲面であることが望ましい。また、頭頂部当接面は、前後方向においては凹曲線によって規定され、上面幅方向においては左右対称な凹曲面によって規定される三次元曲面であることが望ましい。このように、人間の頸部から頭部に掛けての解剖学的形状に沿うように、これらの支持面を形成しておけば、これらに乗せた頭部を定まった位置に確実に固定することができ、また、繰り返し同一位置に固定することができる。
【００１１】
この場合、連結型枕を後頭部支持面の最深部から頭頂部当接面の後端縁部までの間の位置において分割することによって得られた前側の分割枕を前記第１分割枕とし、後側の分割枕を第２分割枕とすることができる。例えば、第２分割枕として長短の各種のサイズのものを用意しておけば、これらのうちから適切なものを選択することにより、頭部サイズに合った連結型枕を得ることができる。
【００１２】
ここで、連結型枕の上面における頭頂部当接面の後端縁部に、上面幅方向においてその中央が後端縁部最深部となる左右対称な凹曲面状に切り取られた切り取り部が形成されていることが望ましい。使用者の頭部のサイズが縦方向に長い場合には、切り取り部から頭頂部の先を後方に突出させることにより対応できる。よって、多数のサイズの分割枕を用意する必要がないという利点がある。
【００１３】
次に、本発明の分割枕セットは、放射線による治療あるいは検査時における患者の頸部から頭部に掛けての部分を固定するための医療用枕として用いる連結用枕を構成するために用いることができる。
【００１４】
このような医療用枕においては、患者の頭部などに対する放射線照射位置を正確に設定する必要があり、そのためには、患者の頸部から頭部に掛けての部分の高さ位置、縦方向（頭足方向）の位置および幅方向の位置を正確に設定し、その位置に固定する必要がある。本発明の分割枕セットを用いて医療用枕としての連結型枕を構成すれば、各患者に最も適した形状、サイズのものを提供できるので、患者の頭部を所望の位置に固定する固定性、繰り返し所望の位置に固定する固定再現性が改善される。
【発明の効果】
【００１５】
本発明の分割枕セットでは、使用者の頸部から頭部に掛けての形状、サイズに合うように第２分割枕を選択し、これを第１分割枕に連結して一体化することにより個人差に対応した頸部支持面、後頭部支持面および頭頂部当接面を備えた連結型枕が得られる。第１分割枕も形状、サイズの異なる複数個のものを用意しておけば、使用者の頸部から頭部に掛けての形状、サイズに対する適用性を一層高めることができる。よって、本発明の分割枕セットは、人間の頸部から頭部に掛けての形状、サイズに合う連結型枕が得られるように組み合わせて使用可能であり、組み合わせによって体位（頸部から頭部に掛けての部分の高さ、角度等）を所望の状態に設定可能な連結型枕を実現できる。
【図面の簡単な説明】
【００１６】
【図１】本発明を適用した分割枕セットの一例を示す説明図である。
【図２】分割枕セットを用いて構成した医療用連結型枕を示す斜視図である。
【図３】図２の医療用連結型枕を示す平面図、側面図、正面図および背面図である。
【図４】図２の医療用連結型枕を示す図であり、（ａ）は図３の線ａ−ａで切断した場合の縦断面図、（ｂ）は図３の線ｂ−ｂ線で切断した場合の横断面図、（ｃ）は図３の線ｃ−ｃで切断した場合の横断面図、（ｄ）は図３の線ｄ−ｄで切断した場合の横断面図である。
【図５】本発明を適用した別の例を示す説明図である。
【図６】医療用連結枕の別の例を示す斜視図である。
【図７】医療用連結枕の別の例を示す斜視図および側面図である。
【発明を実施するための形態】
【００１７】
以下に、図面を参照して、本発明を医療用枕に適用した場合の実施の形態を説明する。図１に示すように、本実施の形態に係る分割枕セット３０は第１分割枕３１と第２分割枕３２から構成されている。第１分割枕３１として、形状、サイズが異なる複数種類の上面３１Ａ（１）、３１Ａ（２）、３１Ａ（３）・・・を備えた第１分割枕３１（１）、３１（２）、３１（３）・・・が用意されている。また、第２分割枕３２も同様に、形状、サイズが異なる複数種類の上面３２Ａ（１）、３２Ａ（２）、３２Ａ（３）・・・を備えた第２分割枕３２（１）、３２（２）、３２（３）・・・が用意されている。第１分割枕３１、第２分割枕３２は例えば放射線吸収率の低い樹脂発泡体からなる成形品である。
【００１８】
第１分割枕３１の後端面は第２分割枕３２を連結するための同一形状の連結用後端面３１Ｂとなっており、第２分割枕３２の前端面は第１分割枕３２を連結するための同一形状の連結用前端面３２Ｂとなっている。各連結用後端面３１Ｂと各連結用前端面３２Ｂも相互に同一形状であり、いずれの組み合わせであっても、第１分割枕３１と第２分割枕３２を連結して一体化した場合に、それらの上面３１Ａ、３２Ａは滑らかに連続した面が形成されるようになっている。
【００１９】
第１分割枕３１の一つと第２分割枕３２の一つを相互に連結して一体化することにより、後述の図２に示す形状の連結型枕１が構成される。第１分割枕３１と第２分割枕３２を連結して一体化する方法としては接着剤を用いて固定する方法を採用することができる。この代わりに、連結用後端面３１Ｂおよび連結用前端面３２Ｂの一方の差し込み用の突起を形成し、他方に突起差し込み用の溝を形成しておき、これらをスナップフィット式に連結することにより、双方を連結して一体化することも可能である。また、これらの面にベロクロファスナーなどの着脱可能な機構を取り付けておいてもよい。
【００２０】
図２は、一つの第１分割枕３１と一つの第２分割枕３２を連結して一体化することにより構成される医療用連結型枕を示す斜視図であり、図３はその平面図、側面図、正面図、背面図である。これらの図を参照し説明すると、医療用連結型枕１は、その前端側に、患者の頸部分を乗せるための凸状の頸部支持面２が形成された頸支持部３を備えている。この後側には、頸部支持面２の後端に滑らかに連続して患者の後頭部を乗せるための湾曲状の後頭部支持面４が形成された頭支持部５が連続しており、この後側には、後頭部支持面４の後端に滑らかに連続して患者の頭頂部に当接させるための頭頂部当接面６が形成された後壁部７が連続している。
【００２１】
頸部支持面２の前端縁は平坦な長方形の底面８の前端縁９に繋がっており、頸部支持面２および後頭部支持面４の両側の側縁１１、１２は、垂直な左右の側面１３、１４の上端縁に繋がっている。頭頂部当接面６の後端縁１５は所定幅の上端面１６に繋がっており、この上端面１６の後端縁は垂直な背面１７の上端縁に繋がっている。また、左右の側面１３、１４の下端縁１８および背面１７の下端縁１９がそれぞれ長方形の底面８の左右の縁および後端縁に繋がっている。
【００２２】
頸部支持面２は、前後方向Ｙにおいてはその途中位置において頂部２ａが形成される凸曲面によって規定され、幅方向Ｘにおいては左右対称な凹曲面によって規定される三次元曲面である。後頭部支持面４は、前後方向Ｙにおいてはその途中位置において最深部Ｂが形成される凹曲面によって規定され、幅方向Ｘにおいてはその中央において最深部Ｂが形成される左右対称な凹曲面によって規定される三次元曲面である。頭頂部当接面６は、前後方向Ｙにおいては凹曲線によって規定され、幅方向においては左右対称な凹曲面によって規定される三次元曲面である。
【００２３】
ここで、頸部支持面２と後頭部支持面４の境界は頂部２ａと最深部Ｂの間の位置にあり、後頭部支持面４と頭頂部当接面６の境界は最深部Ｂと後端縁１５の間の位置にある。本例では、第１分割枕３１と第２分割枕３２の連結面３３が、最深部Ｂと後端縁１５の間に位置しており、この連結面３３より前側が第１分割枕３１の上面３１Ａ（３１Ａ（１）、３１Ａ（２）、３１Ａ（３）・・・）によって規定され、後側が第２分割枕３２の上面３２Ａ（３２Ａ（１）、３２Ａ（２）、３２Ａ（３）・・・）によって規定されている。
【００２４】
次に、図４を主に参照して、医療用連結型枕１の各部の形状を詳しく説明する。まず、図４（ｄ）に示すように、後壁部７における頭頂部当接面６の上端面１６（後端縁１５）は、幅方向における両端部Ｆが最も高い位置にある水平な（底面８に平行な）一定長さの平坦面となっており、これらの間の部分が、幅方向Ｘの中央が最深部（以下、後端縁部最深部Ｃと呼ぶ。）となる左右対称な凹曲面状に切り取られた切り取り部２１となっている。後壁部７の切り取り部２１の後端縁部最深部Ｃの高さＬ（Ｃ）を基準として、上端面１６（後端縁１５）の幅方向Ｘの両端部Ｆの高さＬ（Ｆ）は少なくともＬ（Ｃ）の１２０％の高さ寸法に設定されている。
【００２５】
一般的には、後壁部７に形成した切り取り部２１は凹円弧面によって規定することができる。また、幅方向Ｘにおいて少なくとも９０ｍｍの長さとし、後端縁部最深部Ｃの高さに対して、上端面１６の両端部Ｆを少なくとも２０ｍｍ高い位置となるように設定することが望ましい。
【００２６】
図４（ａ）、（ｂ）に示すように、頸部支持面２における幅方向Ｘに延びる頂部２ａは、前後方向Ｙから見た場合に、幅方向Ｘの中央が頂部最深部Ａとなる左右対称な凹曲線によって規定されている。また、本例では、後壁部７の後端縁部最深部Ｃの高さＬ（Ｆ）が、頸部支持面の頂部最深部Ａの高さＬ（Ａ）と同一の高さ寸法に設定されている。
【００２７】
図４（ａ）に示すように、頸部支持面２の頂部最深部Ａの高さＬ（Ａ）を基準高さとすると、後頭部支持面４の幅方向の中央に位置する最深部Ｂの高さＬ（Ｂ）は基準高さの２５％以下の高さに設定されている。また、後壁部７の後端縁部最深部Ｃの高さＬ（Ｃ）は、基準高さの９０％以下の高さに設定されている。
【００２８】
また、図４（ｂ）に示すように、頸部支持面２の幅方向の中央の頂部最深部Ａの高さＬ（Ａ）を基準として、頂部２ａの両端部Ｄの高さＬ（Ｄ）は少なくとも１．２Ｌ（Ａ）（少なくとも１２０％の高さ）に設定されている。後頭部支持面４においても、その最深部Ｂの高さＬ（Ｂ）を基準として、当該後頭部支持面４における当該最深部Ｂを通る幅方向の両端部Ｅの高さＬ（Ｅ）は少なくとも１．２Ｌ（Ｂ）（１２０％の高さ）に設定されている。
【００２９】
（分割枕セットによる作用効果）
第１、第２分割枕３１、３２により構成した医療用連結型枕１の作用効果を説明する。まず、患者の頸部から頭部に掛けての形状、サイズに適合するように、分割枕セット３０から一つの第１分割枕３１と一つの第２分割枕３２を選択する。選択した双方の分割枕３１、３２を連結して一体化することにより、患者の頸部から頭部に掛けての形状、サイズに略適合した医療用連結型枕１が得られる。このように、分割枕セット３０から第１、第２分割枕を選択することによって、医療用連結型枕１の形状、サイズを患者に合うように調整できる。
【００３０】
また、構成された医療用連結型枕１は、患者の頭頂部に当接する頭頂部当接面６を備えた後壁部７を備えており、この後壁部７の頭頂部当接面６の後端縁１５には凹曲面状の切り取り部２１が形成されている。患者の頭部のサイズが縦方向に長い場合には、切り取り部２１から頭頂部の先を後方に突出させることにより対応できる。このようにして、患者の頭部の形状、サイズに合わせて、患者の頭部を医療用連結型枕１に乗せる位置を微調整して、患者の頸部から頭部に掛けての部位を所望の位置、角度に固定できる。
【００３１】
なお、本例の医療用連結型枕１では、凹曲面状に切り取られた切り取り部２１に患者の頭の頭頂部の先が乗り、後頭部支持面４よりも高い位置において患者の頭が下側および両側から支持される。よって、切り取り部２１の凹曲面状の上面によって頭の幅方向Ｘへの移動を拘束することができる。よって、患者の頭を、幅方向Ｘにおいても、確実に位置決めして固定できるという効果も得られる。
【００３２】
また、後壁部７の後端縁部最深部Ｃと、頸部支持面２における幅方向に延びる頂部２ａにおける頂部最深部Ａとが同一の高さに設定されている。このように、後頭部支持面４に乗せた患者の頭部が、凹曲面状の後頭部支持面４よりも高い同一高さ位置にある３つの点（Ａ、Ｆ、Ｆ）によって支持された状態が形成される。３点支持によって頭部の縦方向および幅方向の位置が規定されるので、頭の位置決め性および固定性、並びに位置決めの再現性が改善されるという作用効果が得られる。
【００３３】
（その他の実施の形態）
本例では、図５（ａ）に示すように、後頭部支持面４の最深部Ｂと頭頂部当接面６の後端縁１５の間の位置において医療用連結型枕１を前後に二分割して得られる前後の分割枕を、第１分割枕３１、第２分割枕３２としている。この代わりに、図５（ｂ）に示すように、頸部支持面２の頂部２ａと後頭部支持面４の最深部Ｂとの間の位置４３において医療用連結型枕１を前後に二分割して得られる前後の分割枕を、第１分割枕４１、第２分割枕４２として用いることもできる。さらには、図５（ｃ）に示すように、医療用連結型枕１における頸部支持面２の頂部２ａと後頭部支持面４の最深部Ｂとの間の位置５４、並びに、当該最深部Ｂと頭頂部当接面６の後端縁１５との間の位置５５において、前後に三分割して得られる分割枕５１、５２、５３からなる分割枕セットとすることもできる。
【００３４】
次に、上記の医療用連結型枕１では、後壁部７の上端面に切り取り部２１を形成して、患者の頭部を乗せる位置を微調整できるようにしている。例えば、多数種類の分割枕を用意しておけば、このような切り取り部２１を設けなくても各患者の頭部の形状、サイズに適合した医療用連結型枕を構成することができる。このような場合には、図６に示すように、切り取り部２１を省略した形状の医療用連結型枕１Ａを用いることができる。したがって、これに対応して分割枕の形状も変えればよい。
【００３５】
また、図７（ａ）に示すように、医療用枕としては図１に示す医療用連結型枕１から後壁部７を省略した形状のものが知られている。このような医療用枕を、本発明による分割枕を用いて医療用連結枕として提供することができる。この場合には、例えば、頸部支持面２の頂部２ａと後頭部支持面４の最深部Ｂの間の位置７３において前後に二分割して得られる分割枕を、それぞれ第１、第２分割枕７１、７２として用いて医療用連結型枕１Ｂとすることができる。
【００３６】
一方、上記の各例は本発明を医療用枕を構成するために適用したものであるが、本発明の分割枕セットは、医療用枕に限らず、その他の枕を構成するためにも用いることができる。また、各分割枕の形状、これらによって構成される連結型枕の形状は上記の各例の形状に限定されるものではなく、各種の形状をとることができる。
【符号の説明】
【００３７】
１，１Ａ、１Ｂ    医療用連結型枕
２    頸部支持面
３    頸支持部
４    後頭部支持面
５    頭支持部
６    頭頂部当接面
７    後壁部
８    底面
９    前端縁
１１、１２  両側の縁
１３、１４  側面
１５  後端縁
１６  上端面
１７  背面
１８、１９  下端の縁
２１  切り取り部
３０  分割枕セット
３１、３１（１）、３１（２）、３１（３）、４１、５１、７１  第１分割枕
３２、３２（１）、３２（２）、３２（３）、４２、５２、７２  第２分割枕
３１Ａ、３１Ａ（１）、３１Ａ（２）、３１Ａ（３）  上面
３２Ａ、３２Ａ（１）、３２Ａ（２）、３２Ａ（３）  上面
３１Ｂ  連結用後端面
３２Ｂ  連結用前端面
３３、４３、５４、５５、７３  連結面
５３  第３分割枕
Ａ    頂部最深部
Ｂ    後頭部支持面の最深部
Ｃ    後端縁部最深部
Ｄ    頂部の両端部
Ｅ    後頭部支持面の両端部
Ｆ    後壁部の両端部
Ｘ    幅方向
Ｙ    縦方向
【図１】
2012143412.tif 000003
【図２】
2012143412.tif 000004
【図３】
2012143412.tif 000005
【図４】
2012143412.tif 000006
【図５】
2012143412.tif 000007
【図６】
2012143412.tif 000008
【図７】
2012143412.tif 000009